(57)【特許請求の範囲】
【請求項１】
コンピュータ内に階層構造にて格納されたファイルを表示するファイル管理システムにおいて、表示対象として選択しているｎ階層目より３階層上位となる、ｎ−３階層以下の全ファイルと階層名を、３次元の図形として一覧できるように表示する３次元表示ファイル管理システムであって、
ｎ−２階層目のフォルダ名とｎ＋１階層目のファイル名またはフォルダ名をソートキーとしてソートした結果の相対位置をＹ軸に、
ｎ−１階層目のフォルダ名とｎ＋１階層目のファイル名またはフォルダ名をソートキーとしてソートした結果の相対位置をＸ軸に、
ｎ階層目のフォルダ名とｎ＋１階層目のファイル名またはフォルダ名をソートキーとしてソートした結果の相対位置をＺ軸に、
割り当てる割り当て手段と、
それぞれの軸において、ｎ＋１階層目のファイルまたはフォルダを、前記割り当て手段がソートした結果の相対位置に基づいて表示位置を移動するように表示させることにより、ｎ−２階層目、ｎ−１階層目、ｎ階層目の階層名毎にファイルをグループ分けして一覧できるように表示する表示手段と、
を備えることを特徴とする３次元表示ファイル管理システム。
【請求項２】
コンピュータ内に階層構造にて格納されたファイルを表示するファイル管理システムにおいて、表示対象として選択しているｎ階層目より３階層上位となる、ｎ−３階層以下の全ファイルと階層名を、３次元の図形として一覧できるように表示する３次元表示ファイル管理システムにおける３次元表示ファイル管理方法であって、
前記３次元表示ファイル管理システムは割り当て手段と表示手段を備え、
前記割り当て手段は、
ｎ−２階層目のフォルダ名とｎ＋１階層目のファイル名またはフォルダ名をソートキーとしてソートした結果の相対位置をＹ軸に、
ｎ−１階層目のフォルダ名とｎ＋１階層目のファイル名またはフォルダ名をソートキーとしてソートした結果の相対位置をＸ軸に、
ｎ階層目のフォルダ名とｎ＋１階層目のファイル名またはフォルダ名をソートキーとしてソートした結果の相対位置をＺ軸に、
割り当て、
前記表示手段は、それぞれの軸において、ｎ＋１階層目のファイルまたはフォルダを、前記割り当て手段がソートした結果の相対位置に基づいて表示位置を移動するように表示させることにより、ｎ−２階層目、ｎ−１階層目、ｎ階層目の階層名毎にファイルをグループ分けして一覧できるように表示する
ことを特徴とする３次元表示ファイル管理方法。
【請求項３】
コンピュータ内に階層構造にて格納されたファイルを表示するファイル管理システムにおいて、表示対象として選択しているｎ階層目より３階層上位となる、ｎ−３階層以下の全ファイルと階層名を、３次元の図形として一覧できるように表示する３次元表示ファイル管理システムのためのプログラムであって、
コンピュータを、
ｎ−２階層目のフォルダ名とｎ＋１階層目のファイル名またはフォルダ名をソートキーとしてソートした結果の相対位置をＹ軸に、
ｎ−１階層目のフォルダ名とｎ＋１階層目のファイル名またはフォルダ名をソートキーとしてソートした結果の相対位置をＸ軸に、
ｎ階層目のフォルダ名とｎ＋１階層目のファイル名またはフォルダ名をソートキーとしてソートした結果の相対位置をＺ軸に、
割り当てる割り当て手段と、
それぞれの軸において、ｎ＋１階層目のファイルまたはフォルダを、前記割り当て手段がソートした結果の相対位置に基づいて表示位置を移動するように表示させることにより、ｎ−２階層目、ｎ−１階層目、ｎ階層目の階層名毎にファイルをグループ分けして一覧できるように表示する表示手段と、
として機能させるための３次元表示ファイル管理プログラム。
【発明の詳細な説明】
【技術分野】
【０００１】
本発明は、無形財産であるコンピュータ内のファイルについて、コンピュータの使用者がファイル管理を行う技術に関し、ファイルの格納状態を３次元の図形に展開して表示することにより、３つの視点からのファイル管理を実現し、ファイル管理を視覚的な観点から支援することを可能とする技術に関するものである。
【背景技術】
【０００２】
従来のファイル管理システムは、コンピュータ上のファイルはＯＳが管理しており、市場に普及しているＯＳが提供しているファイルの論理的な格納構造は、ツリー構造により実現しているのが一般的である。表示方式もツリー構造に従い、表示対象とするフォルダを一意に選択することで、フォルダ内に格納されているファイルを一覧する方法が採用されている。そのため、コンピュータの高機能化に伴い、利用目的や使用方法が多様化し、コンピュータ内のファイル管理が煩雑になってきている。
【０００３】
また、特許文献１には、３次元空間にファイルを表示するファイル管理システムが記載されている。このファイル管理システムでは、３次元空間にファイルに対応付けられたアイコンが配置され、それぞれのアイコンは視点からの距離に応じて大きさが異なる。関連のあるファイルに対応するアイコンが相互の距離を近くして配置される。
【０００４】
【特許文献１】特開２００４−５４７７７号公報
【発明の開示】
【発明が解決しようとする課題】
【０００５】
上述した一般的な表示方式では、同一階層の他フォルダ内のファイルを表示しないことから、目的のファイルを探すためには、フォルダを一意に指定する必要があったことから、同一階層のフォルダであってもフォルダ毎に指定して表示させなければ、表示させることができなかった。また、コンピュータ内に格納しているファイルは、上位の階層での分類以外にも、下位の階層でさらに細分化していることが多く、下位の階層をグループ化して表示させることができなかった。
【０００６】
また、特許文献１のファイル管理システムは、関連のあるファイルに対応するアイコンを相互の距離が近いように配置して表示するものであり、階層構造を表示するものではない。
【０００７】
本発明は上記の問題を解決し、同一階層の他フォルダ内の全ファイルを、フォルダ毎に指定することなく、上位の階層によるグループ化以外に、下位の階層によるグループ化の要素を加えて、コンピュータ内のファイル格納情報をコンピュータ使用者に提供することを目的とするものである。
【課題を解決するための手段】
【０００８】
この目的は、ｎ階層のフォルダを表示対象として選択した場合、選択したフォルダが所属するｎ−３階層目のフォルダ内に格納されている全ての内容を対象として、下位の階層をＹ軸、Ｘ軸、Ｚ軸として割り当て、それぞれの軸に対してファイル名によりソートして表示する事で、上方、前方、側方のいずれの視点からも重複することなく表示できるよう、ファイルの表示位置を設定することで達成される。
【発明の効果】
【０００９】
本発明によれば、表示対象として選択しているｎ階層目と上位の２階層の階層名にて分類したファイル表示ができ、コンピュータの使用者が、ｎ−２階層、ｎ−１階層、ｎ階層の３つの視点に分類した形でファイルを閲覧することが可能となる。
【発明を実施するための最良の形態】
【００１０】
以下、本発明の実施の形態を図面に基づいて説明する。
【００１１】
図１は従来の表示方式と本発明の３次元表示方式を比較するためのファイル構造（サンプル）の例である。図１において、１００はサンプルとする全体のファイル構造である。図１に示すように、ｎ−３階層目には、フォルダ名がサンプルである１つのフォルダがある。ｎ−３階層目のサンプルフォルダの下位のｎ−２階層目には、フォルダ名がＩ章、ＩＩ章である２つのフォルダがある。ｎ−２階層目のＩ章フォルダの下位のｎ−１階層目には、フォルダ名が１節、２節である２つのフォルダがある。１節フォルダの下位のｎ階層目には、フォルダ名が（１）項、（２）項である２つのフォルダがある。ｎ階層目の（１）項の下位のｎ＋１階層目には、フォルダＡと図Ａ．ｂｍｐと文Ａ．ｔｘｔ（３２ａ）がある。また、ｎ階層目の（２）項フォルダの下位のｎ＋１階層目には、フォルダＢと図Ｂ．ｂｍｐと文Ｂ．ｔｘｔ（３２ｂ）がある。また、２節フォルダの下位にも（１）項、（２）項のフォルダがあり、それぞれのフォルダにはフォルダおよびファイル（３２ｃ、３２ｄ）がある。さらに、ＩＩ章フォルダについても、同様な構造となっている。
【００１２】
図２は図１にて示したサンプルのファイル構造を、従来の表示方式で表示した図である。図２において、２００は従来のファイル構造の表示イメージである。図２に示すように、従来の表示方式では、選択しているフォルダの内容（図２の例では、サンプル、Ｉ章、１節、（１）項内のフォルダＡと図Ａ．ｂｍｐと文Ａ．ｔｘｔ（３２ａ））のみを右側に表示しており、その他のフォルダ内のフォルダやファイルは表示されていない。他のフォルダの内容を表示させるためには、そのフォルダを選択する必要がある。
【００１３】
図３に、本発明の実施形態の３次元表示ファイル管理システムによる表示例を示す。図３は、図１にて示したサンプルのファイル構造を、本実施形態の３次元表示方式で表示した図である。図３において、３１ａはｎ−２階層目フォルダを示す軸（Ｙ軸）、３１ｂはｎ−１階層目フォルダを示す軸（Ｘ軸）、３１ｃはｎ階層目フォルダを示す軸（Ｚ軸）である。３２ａ、３２ｂ、３２ｃ、３２ｄ、３２ｅ、３２ｆ、３２ｇ、３２ｈはｎ＋１階層目フォルダおよびファイルである。３３ａはｎ−３階層目フォルダ名、３４ａ、３４ｂはｎ−２階層目フォルダ名、３４ｃ、３４ｄはｎ−１階層目フォルダ名、３４ｅ、３４ｆはｎ階層目フォルダ名である。
【００１４】
本実施形態の３次元表示ファイル管理システムは、図３に示すようにファイルやフォルダを表示するが、位置関係を明確に説明するために、図３の３次元表示を、上から見た場合の位置関係（図４）、前面から見た位置関係（図５）、側面から見た位置関係（図６）について説明する。
【００１５】
図４は、図３にて示した本実施形態の３次元表示ファイル管理システムによる表示例を、上面から見た場合の位置関係を示した図である。図４において、３１ｂはｎ−１階層目フォルダを示す軸（Ｘ軸）、３１ｃはｎ階層目フォルダを示す軸（Ｚ軸）である。３２ａ、３２ｂ、３２ｃ、３２ｄ、３２ｅ、３２ｆ、３２ｇ、３２ｈはｎ＋１階層目フォルダおよびファイルである。３４ｃ、３４ｄはｎ−１階層目フォルダ名、３４ｅ、３４ｆはｎ階層目フォルダ名である。
【００１６】
なお、表示座標（Ｘ，Ｚ）は、３２ａを基点（ｘ，ｚ）とした場合、ＸについてはＸ軸（ｎ−１階層目）のフォルダ名と（ｎ＋１階層目）のファイル名またはフォルダ名をキーにソートした順位と定数ａの積で算出し、ＺについてはＺ軸（ｎ階層目）のフォルダ名と（ｎ＋１階層目）のファイル名またはフォルダ名をキーにソートした順位と定数ａの積で算出し、３２ｂが（ｘ＋ａ，ｚ＋４ａ）、３２ｃが（ｘ＋４ａ，ｚ＋ａ）、３２ｄが（ｘ＋５ａ，ｚ＋５ａ）、３２ｅが（ｘ＋２ａ，ｚ＋２ａ）、３２ｆが（ｘ＋３ａ，ｚ＋６ａ）、３２ｇが（ｘ＋６ａ，ｚ＋３ａ）、３２ｈが（ｘ＋７ａ，ｚ＋７ａ）となる。
【００１７】
Ｘについてソートした順位を説明すると、３２ａは「１節＋フォルダＡ」で順位０番目、３２ｂは「１節＋フォルダＢ」で順位１番目、３２ｅは「１節＋フォルダＥ」で順位２番目、３２ｆは「１節＋フォルダＦ」で順位３番目、３２ｃは「２節＋フォルダＣ」で順位４番目、３２ｄは「２節＋フォルダＤ」で順位５番目、３２ｇは「２節＋フォルダＧ」で順位６番目、３２ｈは「２節＋フォルダＨ」で順位７番目である。
【００１８】
Ｚについてソートした順位を説明すると、３２ａは「（１）項＋フォルダＡ」で順位０番目、３２ｃは「（１）項＋フォルダＣ」で順位１番目、３２ｅは「（１）項＋フォルダＥ」で順位２番目、３２ｇは「（１）項＋フォルダＧ」で順位３番目、３２ｂは「（２）項＋フォルダＢ」で順位４番目、３２ｄは「（２）項＋フォルダＤ」で順位５番目、３２ｆは「（２）項＋フォルダＦ」で順位６番目、３２ｈは「（２）項＋フォルダＨ」で順位７番目である。
【００１９】
その結果、３２ａは（ｘ，ｚ）、３２ｂは（ｘ＋ａ，ｚ＋４ａ）、３２ｃは（ｘ＋４ａ，ｚ＋ａ）、３２ｄは（ｘ＋５ａ，ｚ＋５ａ）、３２ｅは（ｘ＋２ａ，ｚ＋２ａ）、３２ｆは（ｘ＋３ａ，ｚ＋６ａ）、３２ｇは（ｘ＋６ａ，ｚ＋３ａ）、３２ｈは（ｘ＋７ａ，ｚ＋７ａ）となる。
【００２０】
図５は図３にて示した本実施形態の３次元表示ファイル管理システムによる表示例を、前面から見た場合の位置関係を示した図である。図５において、３１ａはｎ−２階層目フォルダを示す軸、３１ｃはｎ−１階層目フォルダを示す軸、３２ａ、３２ｂ、３２ｃ、３２ｄ、３２ｅ、３２ｆ、３２ｇ、３２ｈはｎ＋１階層目フォルダおよびファイル、３４ａ、３４ｂはｎ−２階層目フォルダ名、３４ｃ、３４ｄはｎ−１階層目フォルダ名である。
【００２１】
なお、表示座標（Ｘ，Ｙ）は、３２ａを基点（ｘ，ｙ）とした場合、ＹについてはＹ軸（ｎ−２階層目）のフォルダ名と（ｎ＋１階層目）のファイル名またはフォルダ名をキーにソートした順位と定数ａの積で算出し、ＸについてはＸ軸（ｎ−１階層目）のフォルダ名と（ｎ＋１階層目）のファイル名またはフォルダ名をキーにソートした順位と定数ａの積で算出し、３２ｂが（ｘ＋ａ，ｙ＋ａ）、３２ｃが（ｘ＋４ａ，ｙ＋２ａ）、３２ｄが（ｘ＋５ａ，ｙ＋３ａ）、３２ｅが（ｘ＋２ａ，ｙ＋４ａ）、３２ｆが（ｘ＋３ａ，ｙ＋５ａ）、３２ｇが（ｘ＋６ａ，ｙ＋６ａ）、３２ｈが（ｘ＋７ａ，ｙ＋７ａ）となる。
【００２２】
Ｙについてソートした順位を説明すると、３２ａは「Ｉ章＋フォルダＡ」で順位０番目、３２ｂは「Ｉ章＋フォルダＢ」で順位１番目、３２ｃは「Ｉ章＋フォルダＣ」で順位２番目、３２ｄは「Ｉ章＋フォルダＤ」で順位３番目、３２ｅは「ＩＩ章＋フォルダＥ」で順位４番目、３２ｆは「ＩＩ章＋フォルダＦ」で順位５番目、３２ｇは「ＩＩ章＋フォルダＧ」で順位６番目、３２ｈは「ＩＩ章＋フォルダＨ」で順位７番目である。
【００２３】
Ｘについてソートした順位を説明すると、前述のように、３２ａは「１節＋フォルダＡ」で順位０番目、３２ｂは「１節＋フォルダＢ」で順位１番目、３２ｅは「１節＋フォルダＥ」で順位２番目、３２ｆは「１節＋フォルダＦ」で順位３番目、３２ｃは「２節＋フォルダＣ」で順位４番目、３２ｄは「２節＋フォルダＤ」で順位５番目、３２ｇは「２節＋フォルダＧ」で順位６番目、３２ｈは「２節＋フォルダＨ」で順位７番目である。
【００２４】
その結果、３２ａは（ｘ，ｙ）、３２ｂは（ｘ＋ａ，ｙ＋ａ）、３２ｃは（ｘ＋４ａ，ｙ＋２ａ）、３２ｄは（ｘ＋５ａ，ｙ＋３ａ）、３２ｅは（ｘ＋２ａ，ｙ＋４ａ）、３２ｆは（ｘ＋３ａ，ｙ＋５ａ）、３２ｇは（ｘ＋６ａ，ｙ＋６ａ）、３２ｈは（ｘ＋７ａ，ｙ＋７ａ）となる。
【００２５】
図６は図３にて示した本実施形態の３次元表示ファイル管理システムによる表示例を、側面から見た場合の位置関係を示した図である。図６において、３１ａはｎ−２階層目フォルダを示す軸、３１ｂはｎ階層目フォルダを示す軸、３２ａ、３２ｂ、３２ｃ、３２ｄ、３２ｅ、３２ｆ、３２ｇ、３２ｈはｎ＋１階層目フォルダおよびファイル、３４ａ、３４ｂはｎ−２階層目フォルダ名、３４ｅ、３４ｆはｎ階層目フォルダ名である。
【００２６】
なお、表示座標（Ｚ，Ｙ）は、３２ａを基点（ｚ，ｙ）とした場合、ＹについてはＹ軸（ｎ−２階層目）のフォルダ名と（ｎ＋１階層目）のファイル名またはフォルダ名をキーにソートした順位と定数ａの積で算出し、ＺについてはＺ軸（ｎ階層目）のフォルダ名と（ｎ＋１階層目）のファイル名またはフォルダ名をキーにソートした順位と定数ａの積で算出し、３２ｂが（ｚ＋４ａ，ｙ＋ａ）、３２ｃが（ｚ＋ａ，ｙ＋２ａ）、３２ｄが（ｚ＋５ａ，ｙ＋３ａ）、３２ｅが（ｚ＋２ａ，ｙ＋４ａ）、３２ｆが（ｚ＋６ａ，ｙ＋５ａ）、３２ｇが（ｚ＋３ａ，ｙ＋６ａ）、３２ｈが（ｚ＋７ａ，ｙ＋７ａ）となる。
【００２７】
Ｙについてソートした順位を説明すると、前述のように、３２ａは「Ｉ章＋フォルダＡ」で順位０番目、３２ｂは「Ｉ章＋フォルダＢ」で順位１番目、３２ｃは「Ｉ章＋フォルダＣ」で順位２番目、３２ｄは「Ｉ章＋フォルダＤ」で順位３番目、３２ｅは「ＩＩ章＋フォルダＥ」で順位４番目、３２ｆは「ＩＩ章＋フォルダＦ」で順位５番目、３２ｇは「ＩＩ章＋フォルダＧ」で順位６番目、３２ｈは「ＩＩ章＋フォルダＨ」で順位７番目である。
【００２８】
Ｚについてソートした順位を説明すると、前述のように、３２ａは「（１）項＋フォルダＡ」で順位０番目、３２ｃは「（１）項＋フォルダＣ」で順位１番目、３２ｅは「（１）項＋フォルダＥ」で順位２番目、３２ｇは「（１）項＋フォルダＧ」で順位３番目、３２ｂは「（２）項＋フォルダＢ」で順位４番目、３２ｄは「（２）項＋フォルダＤ」で順位５番目、３２ｆは「（２）項＋フォルダＦ」で順位６番目、３２ｈは「（２）項＋フォルダＨ」で順位７番目である。
【００２９】
その結果、３２ａは（ｚ，ｙ）、３２ｂは（ｚ＋４ａ，ｙ＋ａ）、３２ｃは（ｚ＋ａ，ｙ＋２ａ）、３２ｄは（ｚ＋５ａ，ｙ＋３ａ）、３２ｅは（ｚ＋２ａ，ｙ＋４ａ）、３２ｆは（ｚ＋６ａ，ｙ＋５ａ）、３２ｇは（ｚ＋３ａ，ｙ＋６ａ）、３２ｈは（ｚ＋７ａ，ｙ＋７ａ）となる。
【００３０】
結局、図３に示す本実施形態の３次元表示ファイル管理システムで表示した表示例において、表示座標（Ｙ，Ｘ，Ｚ）は３２ａを基点（ｙ，ｘ，ｚ）とした場合、３２ｂは（ｙ＋ａ，ｘ＋ａ，ｚ＋４ａ）、３２ｃは（ｙ＋２ａ，ｘ＋４ａ，ｚ＋ａ）、３２ｄは（ｙ＋３ａ，ｘ＋５ａ，ｚ＋５ａ）、３２ｅは（ｙ＋４ａ，ｘ＋２ａ，ｚ＋２ａ）、３２ｆは（ｙ＋５ａ，ｘ＋３ａ，ｚ＋６ａ）、３２ｇは（ｙ＋６ａ，ｘ＋６ａ，ｚ＋３ａ）、３２ｈは（ｙ＋７ａ，ｘ＋７ａ，ｚ＋７ａ）となる。
【００３１】
図７に本実施形態の３次元表示ファイル管理システムのシステム構成図を示す。７０は本実施形態の３次元表示ファイル管理システムである。３次元表示ファイル管理システムは割り当て手段７１と表示手段７２を備える。７３はフォルダやファイルが階層構造にて格納されたディスク装置、７４は画像を表示する表示装置である。
【００３２】
３次元表示ファイル管理システム７０の割り当て手段７１は、ディスク装置７３に階層構造にて格納されているフォルダやファイルに対して、ｎ−２階層目のフォルダ名とｎ＋１階層目のファイル名またはフォルダ名をソートキーとしてソートした結果の相対位置をＹ軸に、ｎ−１階層目のフォルダ名とｎ＋１階層目のファイル名またはフォルダ名をソートキーとしてソートした結果の相対位置をＸ軸に、ｎ階層目のフォルダ名とｎ＋１階層目のファイル名またはフォルダ名をソートキーとしてソートした結果の相対位置をＺ軸に、割り当てる。３次元表示ファイル管理システム７０の表示手段７２は、Ｙ軸、Ｘ軸、Ｚ軸のそれぞれの軸において、ｎ＋１階層目のファイルまたはフォルダを、割り当て手段７１がソートした結果の相対位置に基づいて表示位置を移動するように表示させることにより、ｎ−２階層目、ｎ−１階層目、ｎ階層目の階層名毎にファイルをグループ分けして一覧できるように表示装置７４に表示する。その表示結果は図３に示すとおりである。
【００３３】
本実施形態ではｎ−２階層目、ｎ−１階層目、ｎ階層目のいずれかのフォルダ名とｎ＋１階層目のファイル名またはフォルダ名をソートキーとしてソートし、その結果に基づいて表示しているので、ｎ＋１階層目に同一のファイル名またはフォルダ名が存在する場合であっても、各軸に対して垂直となる視点から見た場合に表示位置は重ならない（図４〜図６参照）。
【００３４】
３次元表示ファイル管理システム７０はコンピュータとプログラムにより構成することができる。ディスク装置７３はそのコンピュータのディスク装置であってもよい。表示装置７４はそのコンピュータに付属する表示装置であってもよい。また、そのコンピュータは、ディスク装置７３にフォルダやファイルを階層構造にて格納するＯＳを備えていてもよい。
【図面の簡単な説明】
【００３５】
【図１】従来の表示方式と本実施形態の３次元表示方式を比較するためのファイル構造（サンプル）である。
【図２】図１にて示したサンプルのファイル構造を、従来の表示方式で表示した図である。
【図３】図１にて示したサンプルのファイル構造を、本発明の実施形態の３次元表示ファイル管理システムで表示した表示例を示す図である。
【図４】図３にて示した本実施形態の３次元表示ファイル管理システムによる表示例を、上面から見た場合の位置関係を示した図である。
【図５】図３にて示した本実施形態の３次元表示ファイル管理システムによる表示例を、前面から見た場合の位置関係を示した図である。
【図６】図３にて示した本実施形態の３次元表示ファイル管理システムによる表示例を、側面から見た場合の位置関係を示した図である。
【図７】本発明の実施形態の３次元表示ファイル管理システムのシステム構成図である。
【符号の説明】
【００３６】
１００：サンプルとする全体のファイル構造
２００：従来のファイル構造の表示イメージ
３１ａ：ｎ−２階層目フォルダを示す軸
３１ｂ：ｎ−１階層目フォルダを示す軸
３１ｃ：ｎ階層目フォルダを示す軸
３２ａ、３２ｂ、３２ｃ、３２ｄ、３２ｅ、３２ｆ、３２ｇ、３２ｈ：ｎ＋１階層目フォルダおよびファイル
３３ａ：ｎ−３階層目フォルダ名
３４ａ、３４ｂ：ｎ−２階層目フォルダ名
３４ｃ、３４ｄ：ｎ−１階層目フォルダ名
３４ｅ、３４ｆ：ｎ階層目フォルダ名
【図１】
0005346500.tif 000002
【図２】
0005346500.tif 000003
【図３】
0005346500.tif 000004
【図４】
0005346500.tif 000005
【図５】
0005346500.tif 000006
【図６】
0005346500.tif 000007
【図７】
0005346500.tif 000008